(57)【要約】      （修正有）【課題】出力ポート部の振動・共振による騒音を抑制した直付け型ソレノイドバルブを提供すること。【解決手段】流路１１ａを形成するハウジング１１と、弁口１２ａを備え、ソレノイド部１３に通電することにより、弁口１２ａの開閉を行い、入力ポート１４と出力ポート１２ｂの連通をする直付け型ソレノイドバルブにおいて、出力ポート部材１２の振動を抑制するハウジング１１に固定された振動抑制手段１５aを有することを特徴とする。【選択図】図１
2012041980.tif 000002
【特許請求の範囲】
【請求項１】
流体の流路を形成するハウジングと、一端側に前記流路に開口する弁口を備え他端側に外部装置の流路に連通する取り付け穴に挿入される出力ポートを備え前記ハウジングに固定された出力ポート部材と、弁体を備え前記弁体を駆動して前記弁口を開閉する前記ハウジングに収納されたソレノイド部と、を有する直付け型ソレノイドバルブであって、
前記出力ポート部材の振動を抑制する前記ハウジングに固定された振動抑制手段を有することを特徴とする直付け型ソレノイドバルブ。
【請求項２】
前記出力ポート部材は、周縁部が前記ハウジングに固定されたフランジ部を備え、
前記振動抑制手段は、外側梁部材と前記ハウジングに固定された内側梁部材を備え、前記フランジ部を前記外側梁部材と前記内側梁部材とで狭持する請求項１に記載の直付け型ソレノイドバルブ。
【請求項３】
前記外側梁部材は、前記外部装置と前記フランジ部との間に配置され前記フランジ部を内側方向に押圧する剛性部材である請求項２に記載の直付け型ソレノイドバルブ。
【請求項４】
前記外側梁部材は、前記外部装置と前記フランジ部との間に配置され前記フランジ部を内側方向に押圧する弾性部材である請求項２に記載の直付け型ソレノイドバルブ。
【発明の詳細な説明】
【技術分野】
【０００１】
この発明は、各種装置に気体や液体等の流体を供給する流量を調節するソレノイドバルブに関し、詳しくは、各種装置に直付けされる直付け型ソレノイドバルブに関する。
【背景技術】
【０００２】
たとえば、燃料タンクから発生する蒸発ガスのエンジン吸気管への供給を制御する場合、ソレノイドバルブが使用される。従来、ソレノイドバルブと吸気管とは配管部材で連通されていた（たとえば、特許文献１参照。）。しかし、配管で連通すると、バルブをエンジンルームに取り付ける必要があり、スペースが余分に必要になる。
【０００３】
そこで、最近、エンジン吸気管に直付けされる直付け型ソレノイドバルブが使用されるようになった。これまで、直付け型ソレノイドバルブとしては、図５に示すようなものが知られている（たとえば、特許文献２参照。）。図５において、１０１は、負圧が印加される入力ポート１０２、出力ポート部１０３が設けられた樹脂製のハウジングである。１０４は、電磁コイル１０４aを内在させた円筒状のヨーク、１０５は、ヨーク１０４の下部に固定されたコア、１０６は、コア１０５の上部に可動支持されたプランジャー、１０７は、プランジャー１０６の上部に固定された弁体、１０８は、コア１０５に装着されたガイド１１０とプランジャー１０６との間に装着され弁体１０７を出力ポート部１０３の下端に位置する弁口１０３aに押しつけて塞ぐスプリングである。
【０００４】
エンジン吸気管２０１への取り付けは、Ｏリング１０３bを装着した状態で出力ポート１０３cを吸気管２０１の取り付け穴２０１aに挿入し、吸気管２０１のボルトネジ穴２０１bにボルト１０９を螺合させて行われる。
【０００５】
動作は以下のようにして行われる。図示しない外部の電源からコイル１０４aに通電されていない場合は、プランジャー１０６に固定された弁体１０７は、スプリング１０８の付勢力によって出力ポート１０３の弁口１０３aに押しつけられ、入力ポート１０２と出力ポート部１０３の流路は閉じている（図５の閉状態）。この状態において、コイル１０４aに通電して磁界を発生させ、この磁力でプランジャー１０６をスプリング１０８に抗して下方に移動させ、弁体１０７を弁口１０３aから離して入力ポート１０２と出力ポート１０３の流路を連通させる。
【先行技術文献】
【特許文献】
【０００６】
【特許文献１】特開２０００−１７０９４８号公報
【特許文献２】特開２０１０−１４２３２号公報
【発明の概要】
【発明が解決しようとする課題】
【０００７】
上記のように、従来の直付け型ソレノイドバルブでは、電気絶縁性のためにハウジング１０１やフランジ構造の出力ポート部１０３等が、樹脂製である。そのため、ソレノイドバルブの動作時、弁口１０３aが弁体１０７で叩かれると、フランジ構造の出力ポート部１０３が振動して共振し、騒音を発生させてしまう。
【０００８】
本発明は、上記従来の直付け型ソレノイドバルブの問題に鑑みてなされたものであり、出力ポート部の振動・共振による騒音を抑制した直付け型ソレノイドバルブを提供することを課題とする。
【課題を解決するための手段】
【０００９】
上記の課題を解決するためになされた本発明の直付け型ソレノイドバルブは、流体の流路を形成するハウジングと、一端側に前記流路に開口する弁口を備え他端側に外部装置の流路に連通する取り付け穴に挿入される出力ポートを備え前記ハウジングに固定された出力ポート部材と、弁体を備え前記弁体を駆動して前記弁口を開閉する前記ハウジングに収納されたソレノイド部と、を有する直付け型ソレノイドバルブであって、前記出力ポート部材の振動を抑制する前記ハウジングに固定された振動抑制手段を有することを特徴とする。
【００１０】
出力ポート部材の振動を抑制する振動抑制手段を有しているので、弁口が弁体で叩かれることによる騒音の発生が抑制される。
【００１１】
上記直付け型ソレノイドバルブにおいて、前記振動抑制手段は、外側梁部材と前記ハウジングに固定された内側梁部材とを備え、前記フランジ部を前記外側梁部材と前記内側梁部材とで狭持するようにするとよい。
【００１２】
フランジ部が外側梁部材と前記内側梁部材とで狭持されるので、フランジ部の振動が一層抑制される。
【００１３】
また、前記外側梁部材は、前記外部装置と前記フランジ部との間に配置され前記フランジ部を内側方向に押圧する剛性部材であるとよい。
【００１４】
フランジ部が外側梁部材と前記内側梁部材とで強固に狭持されるので、フランジ部の振動が確実に抑制される。
【００１５】
また、前記外側梁部材は、前記外部装置と前記フランジ部との間に配置され前記フランジ部を内側方向に押圧する弾性部材であるとよい。
【００１６】
外側梁部材が配置されるフランジ部と外部装置との距離が変動しても弾性部材の伸縮で変動を吸収してフランジ部を内側方向に確実に押圧することができる。
【発明の効果】
【００１７】
出力ポート部材の振動を抑制する振動抑制手段を有しているので、弁口が弁体で叩かれることによる騒音の発生が抑制される。
【図面の簡単な説明】
【００１８】
【図１】実施形態１に係る直付け型ソレノイドバルブの概略断面図である。
【図２】実施形態２に係る直付け型ソレノイドバルブの概略断面図である。
【図３】図２の変形態様の直付け型ソレノイドバルブの概略断面図である。
【図４】図２の別の変形態様の直付け型ソレノイドバルブの概略断面図である。
【図５】従来の直付け型ソレノイドバルブの断面図である。
【発明を実施するための形態】
【００１９】
本発明の実施形態を図面を参照して説明する。
（実施形態１）本実施形態の直付け型ソレノイドバルブは、図１に示すように、流体の流路１１aを形成するハウジング１１と、一端側に流路１１aに開口する弁口１２aを備え、他端側に外部装置２０１の流路に連通する取り付け穴２０１aに挿入される出力ポート１２bを備えハウジング１１に固定された出力ポート部材１２と、弁体１３aを備え弁体１３aを駆動して弁口１２aを開閉するハウジング１１に収納されたソレノイド部１３と、を有している。
【００２０】
ハウジング１１は、上部に外部装置２０１に固定するためのボルト穴１１bを持つ略有底筒状をしており、樹脂製である。
【００２１】
ハウジング１１の右側下端には、入力ポート１４が装着されている。
【００２２】
出力ポート部材１２は、樹脂製で、周縁部がハウジング１１に固定されたフランジ部１２cとフランジ部１２cから外部装置２０１側に突設する出力ポート１２bと、を有している。フランジ部１２cの中間付近は、内側梁部材１５aでハウジング１１と連結されている。
【００２３】
出力ポート１２bの外周には溝１２b1形成され、気密を保つためのＯリング１２b2が装着されている。
【００２４】
次に、動作について説明する。まず、図示しない外部の電源からコイル１３cが通電されていない場合は、プランジャー１３eに固定された弁体１３aは、スプリング１３fの付勢力によって弁口１２aに押し付けられ、入力ポート１４と出力ポート１２bの連通が閉ざされている。
【００２５】
次に、外部の電源からコイル１３cが通電される場合は、コイル１３cに磁界が発生し、コア１３dとプランジャー１３eとが引きつけ合う力が発生する。そのため、プランジャー１３eは、スプリング１３fの付勢力に抗して下方（図１で）に移動する。すると、弁体１３aは、弁口１２aから離れ、入力ポート１４と出力ポート１２bとが連通される。
【００２６】
上記のように、コイル１３cへの通電のオン・オフにより弁口１２aが弁体１３aで叩かれるが、フランジ部１２cが内側梁部材１５aでハウジング１１と連結されているので、振動が抑制される。
【００２７】
したがって、本実施形態では、内側梁部材１５aが振動抑制手段として機能する。
（実施形態２）本実施形態の直付け型ソレノイドバルブは、図２に示すように、実施形態１と類似している。相違するのは、振動抑制手段１５だけである。同一の構成要素には同一の符号を付し、説明を省略する。
【００２８】
本実施形態の振動抑制手段１５は、外側梁部材１５bと内側梁部材１５aとを備え、フランジ部１２cを外側梁部材１５bと内側梁部材１５aとで狭持している。
【００２９】
本実施形態の場合、内側梁部材１５aは、ハウジング１１とフランジ部１２cと連結していなくてもよい。
【００３０】
外側梁部材１５bは、フランジ部１２cと外部装置２０１との間に配置さている。詳しくは、外側梁部材１５bは、フランジ部１２cの外面１２c1と外部装置２０１の座ぐり穴２０１bの底面２０１b1との間に配置されている。
【００３１】
外側梁部材１５bは、樹脂製柱状体であり、ビード１５b0を外側（図２で上部）にもつ。
【００３２】
外部装置２０１への直付けソレノイドバルブの取付は、取り付け完了時（図２の状態）のフランジ部１２cの外面１２c1から外部装置２０１の座ぐり穴２０１bの底面２０１b1までの距離より大きな高さを有する外側梁部材１５bをフランジ部１２cの外面１２c1と座ぐり穴２０１bの底面２０１b1との間に介在させて行われる。
【００３３】
フランジ部１２cの外面１２c1から座ぐり穴２０１bの底面２０１b1までの距離が変動しても（外部装置が変わると変動する）、点線で示すビード１５b0が実線で示すビード１５b0に塑性変形して距離変動を吸収するので、樹脂製柱状体１５bは、安定してフランジ部１２cを内側方向（図２で下方）に押圧すことができる。
【００３４】
したがって、フランジ部１２cは、外側梁部材１５bと内側梁部材１５aとで強固に狭持され振動・共振が確実に抑制される。
【００３５】
次に振動抑制手段１５の変形例を説明する。図２のビード付樹脂製柱状体１５bを図３に示すようにバネ１５b1に変更することもできる。
【００３６】
フランジ部１２cの外面１２c1から座ぐり穴２０１bの底面２０１b1までの距離が変動しても、バネ１５b1が伸縮して距離変動を吸収するので、バネ１５b1は、安定してフランジ部１２cを内側方向に押圧すことができる。
【００３７】
したがって、フランジ部１２cは、バネ（外側梁部材）１５b1と内側梁部材１５aとで強固に狭持され振動・共振が確実に抑制される。
【００３８】
また、図３のバネ１５b1を図４に示すようにゴム製柱状体１５b2に変更することもできる。
【００３９】
フランジ部１２cの外面１２c1から座ぐり穴２０１bの底面２０１b1までの距離が変動しても、ゴム製柱状体１５b21が伸縮して距離変動を吸収するので、ゴム製柱状体１５b2は、安定してフランジ部１２cを内側方向に押圧すことができる。
【００４０】
したがって、フランジ部１２cはゴム製柱状体（外側梁部材）１５b2と内側梁部材１５aとで強固に狭持され振動・共振が確実に抑制される。
【符号の説明】
【００４１】
１１・・・・・・・・・・ ・・ハウジング
１１a・・・・・・・・・・・流路
１２・・・・・・・・・・ ・・出力ポート部材
１２a・・・・・・・・・・・弁口
１２b・・・・・・・・・・・出力ポート
１２c・・・・・・・・・・・フランジ部
１３・・・・・・・・・・ ・・ソレノイド部
１３a・・・・・・・・・・・弁体
１５（１５a）・・・・・・・・振動抑制手段
１５a・・・・・・・・・・・内側梁部材
１５b、１５b1、１５b2・・・外側梁部材
２０１・・・・・・・・・・・ 外部装置
【図１】
2012041980.tif 000003
【図２】
2012041980.tif 000004
【図３】
2012041980.tif 000005
【図４】
2012041980.tif 000006
【図５】
2012041980.tif 000007